(57)【特許請求の範囲】
【請求項１】
ロール状の記録紙に印字するプリンタ装置において、
前記記録紙に印字をするためのプリンタメカユニットと、
前記プリンタメカユニットに前記記録紙を導くための記録紙ガイドユニットと、
を有し、
前記記録紙ガイドユニットは、上部ガイド部と下部ガイド部とを有しており、
前記上部ガイド部には、前記下部ガイド部が設けられている方向に力が加わるバネが設けられており、
前記下部ガイド部には、前記上部ガイド部が設けられている方向に力が加わるバネが設けられており、
前記記録紙は、前記上部ガイド部と前記下部ガイド部との間を通り前記プリンタメカユニットに導かれるものであって、
前記記録紙は、異なる位置より供給することができるものであって、
前記記録紙が上部より供給される場合には、前記上部ガイド部と接して供給され、
前記記録紙が下部より供給される場合には、前記下部ガイド部と接して供給されることを特徴とするプリンタ装置。
【請求項２】
ロール状の記録紙に印字するプリンタ装置において、
前記記録紙に印字をするためのプリンタメカユニットと、
前記プリンタメカユニットに前記記録紙を導くための記録紙ガイドユニットと、
を有し、
前記記録紙ガイドユニットは、ガイド上部とガイド下部とを有しており、
前記ガイド上部と前記ガイド下部は一体に形成されているものであって、
前記ガイド上部が設けられている側には、前記ガイド下部が設けられている方向に力が加わるバネが設けられており、
前記ガイド下部が設けられている側には、前記ガイド上部が設けられている方向に力が加わるバネが設けられており、
前記記録紙は、前記ガイド上部と前記ガイド上部との間を通り前記プリンタメカユニットに導かれるものであって、
前記記録紙は、異なる位置より供給することができるものであって、
前記記録紙が上部より供給される場合には、前記ガイド上部と接して供給され、
前記記録紙が下部より供給される場合には、前記ガイド下部と接して供給されることを特徴とするプリンタ装置。
【請求項３】
前記バネは、コイルバネまたは板バネであることを特徴とする請求項１または２に記載のプリンタ装置。
【請求項４】
ロール状の記録紙に印字するプリンタ装置において、
前記記録紙に印字をするためのプリンタメカユニットと、
前記プリンタメカユニットに前記記録紙を導くための記録紙ガイドユニットと、
を有し、
前記記録紙ガイドユニットは、上部板バネ部と下部板バネ部とを有しており、
前記上部板バネ部は、前記下部板バネ部が設けられている方向に力が加わるものであり、
前記下部板バネ部は、前記上部板バネ部が設けられている方向に力が加わるものであり、
前記記録紙は、前記上部板バネ部と前記下部板バネ部との間を通り前記プリンタメカユニットに導かれるものであって、
前記記録紙は、異なる位置より供給することができるものであって、
前記記録紙が上部より供給される場合には、前記上部板バネ部と接して供給され、
前記記録紙が下部より供給される場合には、前記下部板バネ部と接して供給されることを特徴とするプリンタ装置。
【請求項５】
前記記録紙ガイドユニットには、前記記録紙と接する側に、ピンチローラが設けられていることを特徴とする請求項１から４のいずれかに記載のプリンタ装置。
【請求項６】
前記記録紙が通る開口部が設けられた正面部を有するメインフレームと、
前記メインフレームに接続されるアームユニットと、
前記アームユニットに接続される２つの給紙軸ユニットと、
を有し、
前記正面部の一方の面の側において、前記記録紙ガイドユニットは前記メインフレームと接続されており、
前記正面部の他方の面の側において、前記プリンタメカユニットは前記メインフレームと接続されており、
前記記録紙は前記給紙軸ユニットにより保持されるものであって、
２つの前記給紙軸ユニットには、各々記録紙が装着されるものであることを特徴とする請求項１から５のいずれかに記載のプリンタ装置。
【請求項７】
前記記録紙が通る開口部が設けられた正面部を有するメインフレームと、
前記メインフレームに接続されるアームユニットと、
前記アームユニットに接続される給紙軸ユニットと、
を有し、
前記正面部の一方の面の側において、前記記録紙ガイドユニットは前記メインフレームと接続されており、
前記正面部の他方の面の側において、前記プリンタメカユニットは前記メインフレームと接続されており、
前記記録紙は前記給紙軸ユニットにより保持されるものであることを特徴とする請求項１から５のいずれかに記載のプリンタ装置。
【請求項８】
ロール状の記録紙に印字するプリンタ装置において、
前記記録紙に印字をするためのプリンタメカユニットと、
前記プリンタメカユニットに前記記録紙を導くための記録紙ガイドユニットと、
前記記録紙を保持するための２つの給紙軸ユニットと、
を有し、
前記記録紙は、２つの前記給紙軸ユニットの各々に設置されるものであって、
前記記録紙ガイドユニットは、上部ガイド部と下部ガイド部とを有しており、
前記上部ガイド部は、前記下部ガイド部が設けられている方向に付勢されており、
前記下部ガイド部は、前記上部ガイド部が設けられている方向に付勢されており、
前記記録紙は、前記上部ガイド部と前記下部ガイド部との間を通り前記プリンタメカユニットに導かれるものであって、
前記記録紙のうちの一方の記録紙が供給される場合には、前記上部ガイド部と接して供給され、
前記記録紙のうちの他方の記録紙が供給される場合には、前記下部ガイド部と接して供給されることを特徴とするプリンタ装置。
【請求項９】
前記記録紙は感熱紙であって、前記プリンタメカユニットはサーマルヘッドを有していることを特徴とする請求項１から８のいずれかに記載のプリンタ装置。
【発明の詳細な説明】
【技術分野】
【０００１】
本発明は、プリンタ装置に関する。
【背景技術】
【０００２】
レシート等を発行するプリンタは、商店等のレジスタ、銀行等におけるＡＴＭ（Automated Teller Machine）やＣＤ（Cash dispenser）等の用途に幅広く用いられている。
【０００３】
このようなレシート等を発行するプリンタは、記録紙となる感熱紙がロール状に巻かれており、記録紙を搬送しながらサーマルヘッド等により記録紙に印字等を行ない、所定の長さまで記録紙を搬送した後、カッターで所定の長さで記録紙を切断するものである。
【先行技術文献】
【特許文献】
【０００４】
【特許文献１】特開２００３−１９８４５号公報
【特許文献２】特開２００７−１３０８４２号公報
【特許文献３】特開２００６−５６０３２号公報
【発明の概要】
【発明が解決しようとする課題】
【０００５】
ところで、このようなプリンタは、ロール状に巻かれた記録紙が終了してしまうと、次の記録紙を装着するまで印字を行なうことができず、印字することができない時間が生じてしまい、印字する際に不都合が生じていた。
【０００６】
また、記録紙は比較的大きな体積を有しており、プリンタ装置の用途によって、記録紙の設置場所を変える必要があった。
【０００７】
本発明は、上記に鑑みてなされたものであり、記録紙が終了した場合においても、印字することができない時間が発生することなく印字可能なプリンタ装置を提供することを目的とするものであり、また、記録紙が設置される位置を容易に変更することが可能なプリンタ装置を提供することを目的とするものである。
【課題を解決するための手段】
【０００８】
本発明は、ロール状の記録紙に印字するプリンタ装置において、前記記録紙に印字をするためのプリンタメカユニットと、前記プリンタメカユニットに前記記録紙を導くための記録紙ガイドユニットと、を有し、前記記録紙ガイドユニットは、上部ガイド部と下部ガイド部とを有しており、前記上部ガイド部には、前記下部ガイド部が設けられている方向に力が加わるバネが設けられており、前記下部ガイド部には、前記上部ガイド部が設けられている方向に力が加わるバネが設けられており、前記記録紙は、前記上部ガイド部と前記下部ガイド部との間を通り前記プリンタメカユニットに導かれるものであって、前記記録紙は、異なる位置より供給することができるものであって、前記記録紙が上部より供給される場合には、前記上部ガイド部と接して供給され、前記記録紙が下部より供給される場合には、前記下部ガイド部と接して供給されることを特徴とする。
【０００９】
また、本発明は、ロール状の記録紙に印字するプリンタ装置において、前記記録紙に印字をするためのプリンタメカユニットと、前記プリンタメカユニットに前記記録紙を導くための記録紙ガイドユニットと、を有し、前記記録紙ガイドユニットは、ガイド上部とガイド下部とを有しており、前記ガイド上部と前記ガイド下部は一体に形成されているものであって、前記ガイド上部が設けられている側には、前記ガイド下部が設けられている方向に力が加わるバネが設けられており、前記ガイド下部が設けられている側には、前記ガイド上部が設けられている方向に力が加わるバネが設けられており、前記記録紙は、前記ガイド上部と前記ガイド上部との間を通り前記プリンタメカユニットに導かれるものであって、前記記録紙は、異なる位置より供給することができるものであって、前記記録紙が上部より供給される場合には、前記ガイド上部と接して供給され、前記記録紙が下部より供給される場合には、前記ガイド下部と接して供給されることを特徴とする。
【００１０】
また、本発明は、前記バネは、コイルバネまたは板バネであることを特徴とする。
【００１１】
また、本発明は、ロール状の記録紙に印字するプリンタ装置において、前記記録紙に印字をするためのプリンタメカユニットと、前記プリンタメカユニットに前記記録紙を導くための記録紙ガイドユニットと、を有し、前記記録紙ガイドユニットは、上部板バネ部と下部板バネ部とを有しており、前記上部板バネ部は、前記下部板バネ部が設けられている方向に力が加わるものであり、前記下部板バネ部は、前記上部板バネ部が設けられている方向に力が加わるものであり、前記記録紙は、前記上部板バネ部と前記下部板バネ部との間を通り前記プリンタメカユニットに導かれるものであって、前記記録紙は、異なる位置より供給することができるものであって、前記記録紙が上部より供給される場合には、前記上部板バネ部と接して供給され、前記記録紙が下部より供給される場合には、前記下部板バネ部と接して供給されることを特徴とする。
【００１２】
また、本発明は、前記記録紙ガイドユニットには、前記記録紙と接する側に、ピンチローラが設けられていることを特徴とする。
【００１３】
また、本発明は、前記記録紙が通る開口部が設けられた正面部を有するメインフレームと、前記メインフレームに接続されるアームユニットと、前記アームユニットに接続される２つの給紙軸ユニットと、を有し、前記正面部の一方の面の側において、前記記録紙ガイドユニットは前記メインフレームと接続されており、前記正面部の他方の面の側において、前記プリンタメカユニットは前記メインフレームと接続されており、前記記録紙は前記給紙軸ユニットにより保持されるものであって、２つの前記給紙軸ユニットには、各々記録紙が装着されるものであることを特徴とする。
【００１４】
また、本発明は、前記記録紙が通る開口部が設けられた正面部を有するメインフレームと、前記メインフレームに接続されるアームユニットと、前記アームユニットに接続される給紙軸ユニットと、を有し、前記正面部の一方の面の側において、前記記録紙ガイドユニットは前記メインフレームと接続されており、前記正面部の他方の面の側において、前記プリンタメカユニットは前記メインフレームと接続されており、前記記録紙は前記給紙軸ユニットにより保持されるものであることを特徴とする。
【００１５】
また、本発明は、ロール状の記録紙に印字するプリンタ装置において、前記記録紙に印字をするためのプリンタメカユニットと、前記プリンタメカユニットに前記記録紙を導くための記録紙ガイドユニットと、前記記録紙を保持するための２つの給紙軸ユニットと、を有し、前記記録紙は、２つの前記給紙軸ユニットの各々に設置されるものであって、前記記録紙ガイドユニットは、上部ガイド部と下部ガイド部とを有しており、前記上部ガイド部は、前記下部ガイド部が設けられている方向に付勢されており、前記下部ガイド部は、前記上部ガイド部が設けられている方向に付勢されており、前記記録紙は、前記上部ガイド部と前記下部ガイド部との間を通り前記プリンタメカユニットに導かれるものであって、前記記録紙のうちの一方の記録紙が供給される場合には、前記上部ガイド部と接して供給され、前記記録紙のうちの他方の記録紙が供給される場合には、前記下部ガイド部と接して供給されることを特徴とする。
【００１６】
また、本発明は、前記記録紙は感熱紙であって、前記プリンタメカユニットはサーマルヘッドを有していることを特徴とする。
【発明の効果】
【００１７】
本発明によれば、記録紙が終了した場合においても、印字することができない時間が発生することなく印字可能なプリンタ装置を提供することができる。また、記録紙が設置される位置を容易に変更することが可能なプリンタ装置を提供することができる。
【図面の簡単な説明】
【００１８】
【図１】第１の実施の形態におけるプリンタ装置を構成するユニットの説明図
【図２】メインフレームの斜視図
【図３】メインフレームに記録紙ガイドユニットが接続されているものの斜視図
【図４】メインフレームに記録紙ガイドユニット及び制御基板ユニットが接続されているものの斜視図
【図５】記録紙ガイドユニットにおける制御基板ユニットが接続される部分の拡大図
【図６】メインフレームに記録紙ガイドユニット及び制御基板ユニットが接続されているものの上面図
【図７】メインフレームに記録紙ガイドユニット及び制御基板ユニットが接続されているものの上面斜視図
【図８】第１の実施の形態におけるプリンタ装置の構造図
【図９】第１の実施の形態におけるプリンタ装置の斜視図（１）
【図１０】第１の実施の形態におけるプリンタ装置の斜視図（２）
【図１１】第１の実施の形態におけるプリンタ装置において２つの記録紙が設置された状態の構造図
【図１２】第１の実施の形態におけるプリンタ装置において２つの記録紙が設置された状態の斜視図
【図１３】第１の実施の形態におけるプリンタ装置において１つの記録紙が設置された状態の斜視図（１）
【図１４】第１の実施の形態におけるプリンタ装置において１つの記録紙が設置された状態の斜視図（２）
【図１５】図１４に示す１つの記録紙が設置されたプリンタ装置の構成図
【図１６】記録紙ガイドの説明図
【図１７】第１の実施の形態における記録紙ガイドユニットの構造図
【図１８】第１の実施の形態における記録紙ガイドユニットの説明図（１）
【図１９】第１の実施の形態における記録紙ガイドユニットの説明図（２）
【図２０】第１の実施の形態における記録紙ガイドユニットの説明図（３）
【図２１】第１の実施の形態における他の記録紙ガイドユニットの構造図（１）
【図２２】第１の実施の形態における他の記録紙ガイドユニットの構造図（２）
【図２３】第２の実施の形態における記録紙ガイドユニットの構造図
【図２４】第２の実施の形態における他の記録紙ガイドユニットの構造図
【図２５】第３の実施の形態における記録紙ガイドユニットの構造図
【図２６】第３の実施の形態における記録紙ガイドユニットの説明図（１）
【図２７】第３の実施の形態における記録紙ガイドユニットの説明図（２）
【図２８】第３の実施の形態における他の記録紙ガイドユニットの構造図（１）
【図２９】第３の実施の形態における他の記録紙ガイドユニットの構造図（２）
【図３０】第４の実施の形態における記録紙ガイドユニットの説明図
【図３１】第４の実施の形態における他の記録紙ガイドユニットの説明図
【発明を実施するための形態】
【００１９】
本発明を実施するための形態について、以下に説明する。尚、同じ部材等については、同一の符号を付して説明を省略する。
【００２０】
〔第１の実施の形態〕
（プリンタ装置の構造）
第１の実施の形態におけるプリンタ装置について説明する。本実施の形態におけるプリンタ装置は、プリンタ装置を複数のユニットにより構成したものであり、各々のユニットを交換等することにより、所望の用途に容易に作りかえることができる構造のものである。即ち、通常、プリンタ装置は、複数の部品により構成されているが、用途によって必要な部品が異なるため、プリンタ装置を作り分けることは、製造工程が複雑なものとなり、製造の際に混乱を招きやすい。
【００２１】
本実施の形態におけるプリンタ装置は、機能ごとにユニット化されており、これらのユニットを組み合わせ組み立てることにより、所望のプリンタ装置を作製することができる。即ち、用途に応じて必要となるユニットを取り付けることにより、用途に応じたプリンタ装置を容易に作り分けることができる。また、このように複数のユニットを組み合わせることによりプリンタ装置が構成されているため、故障等が生じた場合においても、故障等の生じているユニットをユニットごと交換することにより、修理等のメンテナンス時間を短くすることができる。これにより、故障等によりプリンタ装置が使用のできない時間を短くすることができ、プリンタ装置の稼働率の低下をできるだけ抑えることができる。
【００２２】
図１に基づき、本実施の形態におけるプリンタ装置について説明する。本実施の形態におけるプリンタ装置は、メインフレーム１０、プリンタメカユニット２０、記録紙ガイドユニット３０、制御基板ユニット４０、アームユニット５０、ニアエンド検出ユニット６０、給紙軸ユニット７０、カバー８０を有している。
【００２３】
メインフレーム１０は、金属等の強度を有する材料により形成されており、記録紙が排紙される正面部１１と、正面部１１に対し略垂直に曲げられることにより形成された側面部１２とを有している。正面部１１には、排出される記録紙が通ることのできる開口部１３が設けられており、記録紙が排紙される際には、正面部１１の一方の面の側から他方の面の側に向かって記録紙が開口部１３内を通る。
【００２４】
プリンタメカユニット２０は、プリンタユニット２１とカッターユニット２２を有しており、カッターユニット２２とプリンタユニット２１とを分離し、容易に取り外すことができる。本実施の形態におけるプリンタ装置では、記録紙としてロール状に巻かれた感熱紙が用いられており、プリンタユニット２１は、記録紙に印字等するための不図示のサーマルヘッド、記録紙を搬送するモータ及びプラテンローラ等を有している。また、カッターユニット２２は、プリンタユニット２１において印字等された記録紙を所定の長さに切断するものであり、不図示の固定刃と可動刃を有しており、可動刃が可動することにより記録紙が切断される。
【００２５】
記録紙ガイドユニット３０は、ロール状の記録紙を挟み込み、メインフレーム１０の開口部１３を通し、プリンタメカユニット２０の印刷ユニット２１に導くためのものである。
【００２６】
制御基板４０は、プリント基板等に電子部品が搭載されているものであり、プリンタメカユニット２０等における記録紙への印字、記録紙の搬送、記録紙の切断等の制御を行なう。
【００２７】
アームユニット５０は、後述する給紙軸ユニット７０に取り付けられたロール状の記録紙を保持するためのものであり、一方向に長く形成されている。長く形成されたアームユニット５０の一方は、メインフレーム１０の側面部１２に接続されており、他方には給紙軸ユニット７０が接続されている。
【００２８】
ニアエンド検出ユニット６０は、ロール状の記録紙の残量を検出するためのものであり、アームユニット５０と給紙軸ユニット７０の間、または、アームユニット５０において、給紙軸ユニット７０と接続される側に接続されている。
【００２９】
給紙軸ユニット７０は、記録紙を保持するためのものであり、ロール状に巻かれた記録紙の中央の開口部分に給紙軸ユニット７０を貫通させて記録紙を保持する。給紙軸ユニット７０は、アームユニット５０に面に対し、給紙軸ユニット７０が略垂直となるように接続されている。
【００３０】
カバー８０は、メインフレーム１０の上部を覆うように設置されるものである。
【００３１】
（メインフレーム）
次に、図２に基づき本実施の形態におけるプリンタ装置のメインフレーム１０について説明する。本実施の形態におけるメインフレーム１０は、上述したように、開口部１３が設けられた正面部１１、側面部１２、側面部１４、底面部１５を有している。側面部１４は正面部１１と接しており、側面部１２が設けられている側とは反対側に設けられており、正面部１１に対し略垂直に曲げることにより形成されている。従って、側面部１２と側面部１４とは略平行となる。底面部１５は、側面部１２、１４及び正面部１１と接している。本実施の形態では、底面部１５と正面部１１とは略垂直となっており、底面部１５と側面部１２、１４とは、各々略垂直となっている。このようにして、側面部１２、１４及び底面部１５は、正面部１１の一方の面の側に設けられている。
【００３２】
このようなメインフレーム１０では、直方体の形状を構成している６面のうち４面に、正面部１１、側面部１２及び１４、底面部１５が形成されているため、残りの２面より各々ユニットをメインフレーム１０等に接続することができる。このため、正面部１１、側面部１２、１４及び底面部１５には、他のユニットを接続するためのネジ穴等が設けられている。
【００３３】
（製造方法）
本実施の形態におけるプリンタ装置は、メインフレーム１０に各々のユニットを接続することにより製造することができる。
【００３４】
最初に、図３に示すように、メインフレーム１０の底面部１５に記録紙ガイドユニット３０を接続する。記録紙ガイドユニット３０は、底面部１５にネジ留めすることにより接続されており、記録紙が記録紙ガイドユニット３０の上部ガイド部３１と下部ガイド部３６との間より入り、更には、メインフレーム１０の一方の面の側の開口部１３に入るように接続される。
【００３５】
次に、図４に示すように、制御基板ユニット４０を記録紙ガイドユニット３０に接続する。具体的には、図５に示すように、記録紙ガイドユニット３０の上部には、制御基板ユニット４０を設置するための凹状の制御基板固定部４７ａ、４７ｂと凸状の制御基板押え部４７ｃが設けられている。従って、制御基板ユニット４０を取り付ける際には、制御基板ユニット４０を凹状の制御基板固定部４７ａ、４７ｂに嵌め込み、制御基板押え部４７ｃにより制御基板ユニット４０の傾きを押えて、ネジ４８ａによりメインフレーム１０の側面部１４に設けられた接続部４８ｂに固定し接続する。尚、接続部４８ｂは、側面部１４に対し略直角に曲げられており、ネジ４８ａに対応する形状のネジ穴４８ｃが設けられている。
【００３６】
このように形成されたものの上面図を図６に示し、上方向から見た斜視図を図７に示す。図６に示されるように、記録紙ガイドユニット３０は、メインフレーム１０の底面部１５にネジ１９ａ及び１９ｂによりネジ留めされることにより接続されている。
【００３７】
次に、図８に示すように、メインフレーム１０の側面部１２にアームユニット５０を接続する。アームユニット５０は、図１等に示されるように、メインフレーム１０の側面部１２に、アームユニット５０の一方の側をネジ５８ａ及び５８ｂによりネジ留めすることにより固定され接続される。また、アームユニット５０の他方の側には、給紙軸ユニット７０がネジ５８ｃにより、回転可能な状態で接続される。尚、アームユニット５０と給紙軸ユニット７０との間には、ニアエンド検出ユニット６０が設置されている。
【００３８】
更に、メインフレーム１０の正面部１１の他方の面の側に、プリンタメカユニット２０を接続する。プリンタメカユニット２０は、メインフレーム１０の正面部１１の他方の側に、図１等に示されるネジ２８ａ及び２８ｂによりネジ留めすることにより固定され接続される。
【００３９】
このように各々のユニットを接続することにより製造された本実施の形態におけるプリンタ装置の斜視図を図９及び図１０に示す。尚、図９及び図１０は、給紙軸ユニット７０に記録紙９０が設置されている状態を示すものであり、図９は、前面方向から見た斜視図であり、図１０は、背面方向から見た斜視図である。本実施の形態におけるプリンタ装置では、アームユニット５０が１つであり、給紙軸ユニット７０の両端のうち片方のみがアームユニット５０と接続されているものであり、片持ちタイプのプリンタ装置と称されるものである。
【００４０】
（アームユニット）
ところで、本実施の形態におけるプリンタ装置は、１つのプリンタ装置に２つの給紙軸ユニットを取り付けることができ、これにより２つのロール状の記録紙を設置することが可能である。
【００４１】
具体的には、図１１及び図１２に示すように、メインフレーム１０には、２つの給紙軸ユニット７０及び７７が接続することができるようにアームユニット５０及び５１が接続されている。給紙軸ユニット７０には、ロール状に巻かれた記録紙９０が装着されており、給紙軸ユニット７７には、ロール状に巻かれた記録紙９１が装着されている。本実施の形態では、１つのプリンタ装置に２つの記録紙９０及び９１を設置することができるため、記録紙９０が終了した場合には、特許文献３等に示される切替部を実装することにより、すぐに記録紙９１に印字をすることができる。これにより、プリンタ装置において、記録紙がなくなってから次の記録紙を取り付けるまで、記録紙に印字することができないといった不都合を解消することができる。
【００４２】
尚、記録紙９０の補充は、記録紙９０が終了した後であって、記録紙９１に印字動作をしていない状態のときに、新しい記録紙９０を装着する。これにより、記録紙への印字動作を妨げることなく、記録紙９０の装着を行なうことができる。また、記録紙９１が終了した場合においても、同様に、記録紙９０に印字動作をしていない状態のときに、新しい記録紙９１を装着する。
【００４３】
このように、本実施の形態では、１つの記録紙がなくなっても、次の記録紙に印字を行なうことができるため、印字することのできない時間を短縮し、記録紙への印字を円滑に行なうことができる。
【００４４】
また、本実施の形態におけるプリンタ装置では、メインフレーム１０に、形状の異なるアームユニットを付け替えることにより、図１３に示すように記録紙９０が取り付けられている状態から、図１４に示すように記録紙９１が取り付けられている状態へと、容易に変更することも可能である。具体的には、図１５に示すように、メインフレーム１０に、アームユニット５０に代えてアームユニット５１を接続し、アームユニット５１に給紙軸ユニット７７を回転可能な状態で接続する。これにより、図１３に示すようにプリンタ装置の横方向に記録紙９０が設置される構造のものから、図１４に示すようにプリンタ装置の下方向に記録紙９１が設置される構造のものへと、容易に変更することができ、用途等に応じて容易に作り分けることができる。
【００４５】
（記録紙ガイドユニット）
次に、本実施の形態におけるプリンタ措置の記録紙ガイドユニット３０について説明する。通常、ロール状の記録紙を用いたプリンタ装置では、図１６に示されるように、プリンタメカユニット５２０に記録紙を導くための記録紙ガイド５３１及び５３２が設けられており、記録紙の弛み等を防ぐためダンパー５３９等が設けられている。本実施の形態におけるプリンタ装置では、２つの記録紙を設置するものであるため、ダンパーも複数設置する必要があり、コストアップにつながるとともに、設置されるダンパーが邪魔となり、記録紙の取り付けに時間を要してしまう。また、図１３及び図１４に示す構造のものに作り分ける場合においても、使用しない方の記録紙用のダンパーが邪魔となり、小型化が困難となる場合がある。
【００４６】
本実施の形態におけるプリンタ装置では、記録紙ガイドユニット３０は、記録紙ガイドとしての機能とダンパーとしての機能の双方の機能を有するものであり、また、横方向より入れられる記録紙及び下方向より入れられる記録紙の双方に対応しているものである。具体的には、図１７に示されるように、記録紙ガイドユニット３０は、上部ガイド部３１と下部ガイド部３６とを有している。
【００４７】
上部ガイド部３１は、図１１に示される記録紙９０に対応するものである。上部ガイド部３１は、軸３１ａを中心に可動することができるように設置されており、記録紙の撓み具合等により、上部ガイド部３１は矢印Ａに示す方向と矢印Ｂに示す方向に可動する。また、上部ガイド部３１の内部には、コイルバネ３２が設けられており、コイルバネ３２の復元力により、記録紙９０と接する上部ガイド部３１の先端部分に、矢印Ａに示す方向に力が加わるように設置されている。これにより、上部ガイド部３１は、記録紙ガイドとしての機能とダンパーとしての機能を有している。
【００４８】
また、下部ガイド部３６は、図１１に示される記録紙９１に対応するものである。下部ガイド部３６は、軸３６ａを中心に可動することができるように設置されており、記録紙の撓み具合等により、下部ガイド部３６は矢印Ｃに示す方向と矢印Ｄに示す方向に可動する。また、下部ガイド部３６の内部には、コイルバネ３７が設けられており、コイルバネ３７の復元力により、記録紙９１と接する下部ガイド部３６の先端部分部に矢印Ｃに示す方向に力が加わるように設置されている。これにより、下部ガイド部３６は、記録紙ガイドとしての機能とダンパーとしての機能を有している。
【００４９】
本実施の形態におけるプリンタ装置において、記録紙ガイドユニット３０が接続されている状態を図１８に示す。また、記録紙９０が用いられる場合であって、記録紙ガイドユニット３０のうち上部ガイド部３１が用いられている状態を図１９に示し、記録紙９１が用いられる場合であって、記録紙ガイドユニット３０のうち下部ガイド部３６が用いられている状態を図２０に示す。このように、記録紙ガイドユニット３０は、プリンタ装置に記録紙を２つ設置した場合においても、各々の記録紙について記録紙ガイドとしての機能とダンパーとしての機能とを有するものである。
【００５０】
また、本実施の形態における記録紙ガイドユニット３０は、図２１に示すように、上部ガイド部３１に記録紙９０と接するピンチローラ３３を設け、下部ガイド部３６に記録紙９１と接するピンチローラ３８を設けた構造のものであってもよい。
【００５１】
また、本実施の形態における記録紙ガイドユニット３０は、図２２に示すように、上部ガイド部３１には、コイルバネ３２に代えて、板バネ３４を設け、下部ガイド部３６には、コイルバネ３７に代えて、板バネ３９を設けた構造のものであってもよい。
【００５２】
〔第２の実施の形態〕
次に、第２の実施の形態について説明する。本実施の形態におけるプリンタ装置は、第１の実施の形態とは、異なる記録紙ガイドユニットを有するプリンタ装置である。
【００５３】
本実施の形態におけるプリンタ装置に用いられる記録紙ガイドユニット１３０について、図２３に基づき説明する。本実施の形態において、記録紙ガイドユニット１３０は、上部板バネ部１３１と下部板バネ部１３６とを有している。
【００５４】
上部板バネ部１３１の先端部分近傍は、滑らかに曲げられており接触部１３１ａを形成しており、記録紙９０は、接触部１３１ａに接している。上部板バネ部１３１はバネ性を有しており、記録紙９０の弛み具合等に応じて形状が変化し、接触部１３１ａが矢印Ａに示す方向、または、矢印Ｂに示す方向に動く。尚、上部板バネ部１３１のバネ性により、記録紙９０と接する接触部１３１ａには、矢印Ａに示す方向に力が加わるように設置されている。このように、上部板バネ部１３１は、記録紙ガイドとしての機能とダンパーとしての機能を単一の部材で兼ね備えたものである。
【００５５】
また、下部板バネ部１３６の先端部分近傍は、滑らかに曲げられており接触部１３６ａを形成しており、記録紙９１は、接触部１３６ａに接している。下部板バネ部１３６はバネ性を有しており、記録紙９１の弛み具合等に応じて形状が変化し、接触部１３６ａが矢印Ｃに示す方向、または、矢印Ｄに示す方向に動く。尚、下部板バネ部１３６のバネ性により、記録紙９１と接する接触部１３６ａには、矢印Ｃに示す方向に力が加わるように設置されている。このように、下部板バネ部１３６は、記録紙ガイドとしての機能とダンパーとしての機能を単一の部材で兼ね備えたものである。
【００５６】
また、本実施の形態における記録紙ガイドユニット１３０は、図２４に示すように、上部板バネ部１３１には記録紙９０と接するピンチローラ１３３を設け、下部板バネ部１３６には記録紙９１と接するピンチローラ１３８を設けた構造のものであってもよい。
【００５７】
尚、上記以外の内容については、第１の実施の形態と同様である。
【００５８】
〔第３の実施の形態〕
次に、第３の実施の形態について説明する。本実施の形態におけるプリンタ装置は、第１及び第２の実施の形態とは、異なる記録紙ガイドユニットを有するプリンタ装置である。
【００５９】
本実施の形態におけるプリンタ装置に用いられる記録紙ガイドユニット２３０について、図２５に基づき説明する。本実施の形態において、記録紙ガイドユニット２３０は、記録紙９０及び９１が入る部分がＶ字状に形成されている。Ｖ字状に形成されている部分のうち、記録紙９０と接する部分はガイド上部２３１、記録紙９１と接する部分はガイド下部２３６となっている。尚、本実施の形態における記録ガイドユニット２３０は、ガイド上部２３１とガイド下部２３６とが一体に形成されているものである。記録紙ガイドユニット２３０は、軸２３０ａを中心に可動することができ、記録紙ガイドユニット２３０の両側には、コイルバネ２３２及び２３７が設けられている。このためコイルバネ２３２の復元力により、ガイド上部２３１の先端部分には、矢印Ｅに示す方向に向く力が加わっており、コイルバネ２３７の復元力により、ガイド下部２３６の先端部分には、矢印Ｆに示す方向に向く力が加わっている。
【００６０】
このように、記録紙ガイドユニット２３０は、記録紙ガイドとしての機能とダンパーとしての機能と双方の機能を有している。尚、記録紙９０を用いた場合において、記録紙ガイドユニット２３０のガイド上部２３１が用いられている状態を図２６に示し、記録紙９１を用いた場合において、記録紙ガイドユニット２３０のガイド下部２３６が用いられている状態を図２７に示す。
【００６１】
また、記録紙ガイドユニット２３０は、図２８に示すように、ガイド上部２３１には記録紙９０と接するピンチローラ２３３を設け、ガイド上部２３６には記録紙９１と接するピンチローラ２３８を設けた構造のものであってもよい。
【００６２】
また、図２９に示すように、コイルバネ２３２に代えて、板バネ２３４を設け、コイルバネ２３７に代えて、板バネ２３９を設けた構造のものであってもよい。
【００６３】
尚、上記以外の内容については、第１の実施の形態と同様である。
【００６４】
〔第４の実施の形態〕
次に、第４の実施の形態について説明する。本実施の形態は、記録紙を記録紙ガイドユニットに、容易に挿入することのできる構造のプリンタ装置である。
【００６５】
図３０に基づき本実施の形態について説明する。本実施の形態におけるプリンタ装置において、記録紙ガイドユニット３００は、上部ガイド部３１０、下部ガイド部３６を有している。上部ガイド部３１０には、開口部３１１が形成されており、開口部３１１に入り込むシャフト３１２及びシャフト３１２に接続されたバネ３１３が設けられている。本実施の形態では、バネ３１３に接続されたシャフト３１２が上部ガイド部３１０の開口部３１１に入り込むことにより、上部ガイド部３１０が固定され、これにより、記録紙ガイドユニット３００全体が固定され、上部ガイド部３１０と下部ガイド部３６との間に、記録紙９０、９１を入れやすくすることができる。
【００６６】
最初に、図３０（ａ）に示す状態から、図３０（ｂ）に示すように、シャフト３１２を矢印Ｇに示す方向に引っ張る。この際、バネ３１３は伸び、元に戻す方向に復元力が生じる。
【００６７】
この後、図３０（ｃ）に示すように、上部ガイド部３１０の先端部分を矢印Ｈに示す方向、即ち、上方向に持ち上げる。
【００６８】
この後、図３０（ｄ）に示すように、バネ３１３の復元力により、シャフト３１２が上部ガイド部３１０の開口部３１１に入り固定される。これにより、上部ガイド部３１０と下部ガイド部３６の位置は固定され、上部ガイド部３１０と下部ガイド部３６との間に記録紙を入れやすくすることができる。具体的には、図３０（ａ）に示す上部ガイド部３１０と下部ガイド部３６とにより形成される記録紙の入口の角度θ１よりも、図３０（ｄ）に示す上部ガイド部３１０と下部ガイド部３６とにより形成される記録紙の入口の角度θ２が広くなるため、上部ガイド部３１０と下部ガイド部３６との間に記録紙が入れやすくなる。図３０（ｄ）における矢印Ｊに示す方向は、一例として、記録紙を下方向より入れる場合を示すものであるが、記録紙を横方向より入れることも可能である。尚、記録紙を上部ガイド部３１０と下部ガイド部３６との間に入れた後は、シャフト３１２を開口部３１１より外すことにより、上部ガイド部３１０が固定されている状態から解除することができる。
【００６９】
また、図３１は、上部ガイド部３１と下部ガイド部３６０を有する記録紙ガイドユニット３５０を用い、記録紙ガイドユニット３５０に記録紙を入れる際には、下部ガイド部３６０を固定する方法であってもよい。下部ガイド部３６０には、突起部３６１が設けられており、メインフレーム１０の底面部１５、または、記録紙ガイドユニット３５０の底面等には、突起部３６１に対応する開口部３６２と開口部３６２より突起部３６１を出すためのロック部３６３が設けられている。尚、本実施の形態では、ロック部３６３の端部が、開口部３６２の縁の一部となっている。
【００７０】
具体的には、図３１（ａ）に示すように、下部ガイド部３６０の突起部３６１を開口部３６２に入れることにより固定する。これにより、上部ガイド部３１と下部ガイド部３６０の位置は固定され、上部ガイド部３１と下部ガイド部３６０との間に記録紙を入れやすくなる。図３１（ａ）における矢印Ｋに示す方向は、一例として、記録紙を横方向より入れる場合を示すものであるが、記録紙を下方向より入れることも可能である。
【００７１】
図３１（ｂ）に示すように、開口部３６２より突起部３６１を出す場合には、ロック部３６３を矢印Ｌに示す方向に押し、ロック部３６３の形状を変形させて、開口部３６２の形状を変形させることにより、開口部３６２より突起部３６１を出すことができる。これにより、下部ガイド部３６０が固定されている状態から解除することができる。
【００７２】
本実施の形態において、記録紙ガイドユニット３００、または、記録紙ガイドユニット３５０は、第１の実施の形態における記録紙ガイドユニット３０を変形した構造のものであるが、本実施の形態における構造は、第２または第３の実施の形態における記録紙ガイドユニットにも、同様に適用することができる。
【００７３】
以上、本発明の実施に係る形態について説明したが、上記内容は、発明の内容を限定するものではない。
【符号の説明】
【００７４】
１０        メインフレーム
１１        正面部
１２        側面部
１３        開口部
１４        側面部
１５        底面部
２０        プリンタメカユニット
２１        プリンタユニット
２２        カッターユニット
３０        記録紙ガイドユニット
３１        上部ガイド部
３１ａ      軸
３２        コイルバネ
３３        ピンチローラ
３４        板バネ
３６        下部ガイド部
３６ａ      軸
３７        コイルバネ
３８        ピンチローラ
３９        板バネ
４０        制御基板ユニット
５０        アームユニット
５１        アームユニット
６０        ニアエンド検出ユニット
７０        給紙軸ユニット
７７        給紙軸ユニット
８０        カバー
９０        記録紙
９１        記録紙
【図１】
0005757802.tif 000002
【図２】
0005757802.tif 000003
【図３】
0005757802.tif 000004
【図４】
0005757802.tif 000005
【図５】
0005757802.tif 000006
【図６】
0005757802.tif 000007
【図７】
0005757802.tif 000008
【図８】
0005757802.tif 000009
【図９】
0005757802.tif 000010
【図１０】
0005757802.tif 000011
【図１１】
0005757802.tif 000012
【図１２】
0005757802.tif 000013
【図１３】
0005757802.tif 000014
【図１４】
0005757802.tif 000015
【図１５】
0005757802.tif 000016
【図１６】
0005757802.tif 000017
【図１７】
0005757802.tif 000018
【図１８】
0005757802.tif 000019
【図１９】
0005757802.tif 000020
【図２０】
0005757802.tif 000021
【図２１】
0005757802.tif 000022
【図２２】
0005757802.tif 000023
【図２３】
0005757802.tif 000024
【図２４】
0005757802.tif 000025
【図２５】
0005757802.tif 000026
【図２６】
0005757802.tif 000027
【図２７】
0005757802.tif 000028
【図２８】
0005757802.tif 000029
【図２９】
0005757802.tif 000030
【図３０】
0005757802.tif 000031
【図３１】
0005757802.tif 000032